(57)【要約】【課題】本発明は、家庭で様々な形式の家具に、専門冶具を用いることなく、耐震ラッチとラッチ受けを簡単かつ正確に取り付けられるものである。【解決手段】耐震ラッチに取付位置決め部を設けて、専用の取付冶具を用いることなく天板端部或いは段差（戸当り桟）端部に合わせて正確で簡単に取り付けらる様にした。  また、耐震ラッチ本体と取付位置決め部の少なくとも前後２箇所に取付穴を設けることにより、様々の形式の家具に対応できる。  また、天板或いは段差との間に作成した溝に、ラッチ受け位置合わせシートの一端を折り曲げて挿入し、扉の押圧と該ラッチ受け位置合わせシートの折り曲げ反発力と粘着テープによって、ラッチ受け取付位置を決めて、ラッチ受けを確実で容易に取り付けることが可能となった。【特許請求の範囲】
【請求項１】
取付位置決め部（３１）を設けた耐震ラッチの天板取付面の端から、６から１２ｍｍの部分が他の部分より０．４から１ｍｍ厚みを薄くした耐震らラッチ
【請求項２】
耐震ラッチ本体の天板取付面に、天板扉側端部まで伸ばした金属板又は合成樹脂板の取付位置決め部３０を設けた耐震ラッチ
【請求項３】
厚さ０．２から０．４ｍｍの厚紙４１の片面に、厚さ０，０２から０．０５ｍｍの合成樹脂層４２を設けて、厚紙面に谷折線４４とネジ穴４５が印刷され、合成樹脂層面に両面粘着テープ４３が設けられているラッチ受け位置決めシート
【請求項４】
耐震ラッチの耐震ラッチ位置決め部（３０又は３１）を天板１又は段差（戸当り桟）１１の端部に合わせて取り付けて、該耐震ラッチと天板との間に設けた溝に、ラッチ受け位置決めシート４の一端を挿入し、扉の押圧とラッチ受け位置決めシート４の折り曲げ反発力と粘着テープ４３を利用して、該ラッチ受け位置合わせシート４を家具扉に仮止めしてなるラッチ受け位置を決める耐震ラッチの取付方法
【発明の詳細な説明】
【技術分野】
【０００１】
近年、大地震時に食器家具の扉が開いて収納されているガラスコップや陶器等が落下・破損する事故を防ぐため、防振ラッチを取り付けられてるようになってきた。  一般家庭でも使用中の家具に、取り付けられる事が多くなってきたが、本来 耐震ラッチは家具製作所等で専門家が新品の家具に取付ており、素人には難しい面が多々あった。  この理由は、専用取付冶具を使用したり、家具天板と扉の関係が異なる構造のものが多数有り、そのままで取り付けられない家具も多く、素人には難しいものとされている。  本発明は、一般家庭の様々な種類の木製家具に対して、素人が容易に取り付けられる様に改良したものである。  
【背景技術】
【０００２】
家具製作所等で職人が使う為の耐震ラッチと専用取付冶具が多数商品化されている。  家庭用の商品もまま小包したもが多く、取扱説明書に印刷された取付方法図を切り取って使用するか専用取付冶具を購入して使用する方法等が取られて来た。  しかし、素人には難しい方法であり、使用中の家具の為に専用冶具を購入する事は不経済でもあった。  また、民藝調の木工家具など扉が家具天板の下（内側）に付けられている天板に段差（戸当り桟）のあるものの多くは、そのまま取り付けられないと云う欠点があった。
【先行技術文献】
【特許文献】
【０００３】
【特許文献１】特開２００７−２２４５４４  ロック装置の取付冶具およびロック装置ユニット  耐震ラッチの取付冶具に関する特許  株式会社ムラコシ精工
【特許文献２】特開平１１−２２５８３６  地震時ロック装置の取付ゲージと同装置の取付方法並びに同装置を有する家具の製造方法  株式会社奥田」製作所
【非特許文献】
【０００４】
【非特許文献１】耐震ラッチの取付専用冶具は、  １） 大石製作所（ＫＳＬ−２用冶具、ＫＬＳ−３専用冶具）  ２） 川喜金物（ＨＤＤ１専用取付冶具）  ３） イマオコーポレーシォン（震護くん２取付冶具）  4) HAFELE(地震対策ラッチＨ型取付ジグ）  5) カワノ（ＯＳＫ耐震ラッチ用冶具）  6) ムラコシ（耐震ラッチＴ２用取付冶具）など、多くの耐震ラッチ商品にプラスチックで成型された専用冶具が販売されている
【発明の概要】
【発明が解決しようとする課題】
【０００５】
現在、家庭で使用されている家具は、時代の変化や民族調など好みや経済状況により種々の形式の家具が使用されている。  扉付き食器家具の天板の構造は、１．扉を天板の下に収めるタイプ（段差・戸当り桟）  ２．天板の側面に扉を合わせるタイプ  ３．天板が中空構造で磁石などの扉留具も側柱に付けているものなど種々のタイプがある。  これら使用中の家具に耐震ラッチを取り付けるのは、素人が取付可能かどうかの判断や１回の取付の為に専用の取付冶具を購入するのは不経済であった。  また、家具天板に段差（戸当り桟）のあるものはそのままで取付出来ない場合が多く、種々の家具に耐震ラッチを容易に取り付けて、大地震時大地震時の防災・安全を更に高める。
【課題を解決するための手段】
【０００６】
耐震ラッチの一般的な形状は４０から５０ｍｍ前後の小さなもので、ラッチ（留め金部）が、扉に付けられたラッチ受けでロックさせる為に扉側に少し飛び出している。  耐震ラッチは、ラッチ受けとラッチの関係で天板や段差（戸当り桟）より若干（一般に１０から２０ｍｍ）奥で木ネジで取り付けられる。  一般家庭で使用されている食器家具の形態は、家具天板に段差の有るもの無いものなど様々なタイプがあり、段差のないものでも天板が薄い２枚の合板の間の四端部に木材を入れた中空のもの（ネジで取り付けられない）や段差（戸当り桟）のある家具の多くは、桟の木材幅が狭くて取り付けられないことが判った。  耐震ラッチ本体の取付位置を扉側にずらすと、取付可能となる家具は多少は増えるが根本的な解決にはならない。  また、専用の取付冶具を使用せずに一般人が振動ラッチ本体を正確に取り付けることは難しいので、耐震ラッチ本体天板面を取付位置端部（戸当り）まで伸ばせば、比較的細幅の段差（戸当り桟）や中空の天板構造のものでも使用可能となるが、ラッチ受けの取付位置を従来の方法で決めることは出来なかった。  そこで、戸当り桟或いは天板扉側端部まで伸ばした耐震ラッチ位置決め部と天板との溝にラッチ受け位置合わせシートを挿入して、該シートの折り曲げ反発力と粘着テープの利用によって、確実かつ容易に耐震ラッチ受けを取付ける事が可能となった。
【発明の効果】
【０００７】
本発明の改良耐震ラッチは、専用の取付冶具を用いることなく、家具天板又は戸当り桟の端部に合わせて、簡単取り付けが可能となる。  また、耐震ラッチ本体に取付位置決め部分を約１５ｍｍ伸ばす為、天板取付部が従来の取付位置に加えて先端部近くで取り付けられるので、天板に段差のあるもなど殆どの家具に取り付けが可能となる。  また、天板に段差（戸当り桟）が無くとも天板が中空のものは、天板に接する耐震ラッチ面積が３０から４０％増加するので、耐震ラッチを接着剤等で天板に貼り付けても充分な強度を得る事も可能となる。  また、本発明の耐震ラッチ受け取付位置決めシートを使用すると専用の取付冶具や特別な技術も不要で、扉に耐震タッチ受けを簡単で確実に取り付けることが可能となった。
【図面の簡単な説明】
【０００８】
【図１】第1図は、取付位置決め部３１を設けた耐震ラッチ本体を家具天板１ に取り付けて、取付位置決め部と天板との間の溝にラッチ受け位置合わせシート４の一端を挿入した断面図
【図２】天板扉まで伸ばした金属プレートを固定した取付位置決め部３０を設けた耐震ラッチ３を、天板段差（戸当り桟）１１の端部に合わせて木ネジで仮止めし、該金属プレートと天板の間の隙間を設けて、この隙間にラッチ受け位置合わせシート４を挿入する前の断面図
【図３】取付位置決め部の天板取付面の扉側端部から約１０ｍｍを他の部分より厚さ約０．５ｍｍ薄くして位置決め部の溝３２を設けた取付位置決め部３１を有する耐震ラッチ３を天板１に取り付けた断面図
【図４】耐震ラッチ３の取付位置決め部３１と天板１との間に形成された位置決め部の溝に、ラッチ受け位置合わせシート４の一端を挿入して、扉２を閉じた状態を示す断面図
【図５】粘着テープ部４３で扉２に仮止めされたラッチ受け位置合わせシート４の取付位置４４の上から扉２の内部まで木錐で突き刺して取付位置を決めている断面図
【図６】耐震ラッチ３が天板１に取付けられ、ラッチ３５とラッチ受け５の関係を示す断面図
【図７】耐震ラッチが通常の扉開閉時の透視断面図で、感知センサー３３は水平を保ち保持具３４はフリーで、ラッチ３５はラッチ受け５に自由に開閉可能な状況を示す
【図８】一定以上の震度で、耐震ラッチの円錐形の振動センサー３３が傾斜して、ラッチ保持具３４がラッチ３５をラッチ受け５に固定している状態の概略透視断面図
【図９】厚紙面に谷折の折り曲げ線４５とラッチ受けネジ位置４４を印刷したラッチ受け位置合わせシート４の平面図
【図１０】厚紙４１の片面に合成樹脂層４２を設けて、更に合成樹脂面に両面テープ４３を貼りつけたラッチ受け位置合わせシートの断面図
【発明を実施するための形態】
【０００９】
耐震ラッチが平常時はフリーで大地震時にロックされ落下事故を防ぐ為に、耐震ラッチとラッチ受けが正確に取り付けられる必要がある。  段差のある扉家具など取り付けられない家具も多く、家庭で素人が耐震ラッチを正確に取り付けることも難しかった。  これら問題点を解決する為に、耐震ラッチ本体に取付位置決め部を設けて、従来は取付困難であった殆どの家具に対しても専用冶具を用いることなく、確実かつ容易に取り付けられる様になった。
この取付位置決め部は、耐震ラッチ本体の天板取付面に、ラッチ本体の位置から天板又は段差（戸当り桟）の扉側端部まで、金属又は合成樹脂プレートを貼り設けて（後付）も良いが、耐震ラッチの天板取付面を扉側に適切な寸法に伸ばした取付位置決め部を耐震ラッチ本体のプラスチックと一体成型し、複数箇所に取付穴を設けると、様々なタイプの家具に取付可能となり汎用性が高まる。  耐震ラッチの天板に直接取付られるタイプの家具は中央部穴で固定、天板に段差（戸当り桟）のあるタイプの場合は扉側の端部穴で固定するなど様々なタイプの扉家具に対応可能となる。
また、取付位置決め部を有する耐震ラッチに用いられるラッチ受け位置決めシートは、天板とラッチ取付位置決め部との間に溝を設けて挿入し、該位置決めシートの折り曲げ反発力によって扉にラッチ取付位置合わせシートを粘着テープで仮止めする。
このラッチ位置決めシートは、０．２から０．４ｍｍの厚紙が用いられ、片面に０．０２から０．０５ｍｍの合成樹脂層を設けたもは特に良い結果が得られる。  ０．２ｍｍ以下の用紙は粘着テープを扉に押し付ける折り曲げ反発力が不充分で、厚紙や合成樹脂層が厚過ぎると折り曲げ時のカーブが大きく取付精度が悪くなる。  また、厚紙は、ケント紙やアート紙や合成紙など折り曲げ反発力の高いものが良い。  厚紙に適度な厚みのポリプロピレンやポリエチレンフイルムを貼合すると、１８０度に折り曲げても短時間で１００〜１３０度に反発回復し、扉を閉めると扉に適度な力が働いて確実に仮止めすることが出来る。  厚紙の片面に設けられる合成樹脂層の貼合方法は、接着剤で貼り合わせたり、ホットメルト、樹脂コーティングなど一般的など方法で特に限定しない。
【実施例】
【００１０】
幅４６ｍｍで天板取付面の奥行４０ｍｍの耐震ラッチ３の天板側のポリアセタール樹脂を、扉側に１５ｍｍ伸ばして幅４６ｍｍで厚さ３ｍｍの取付位置決め部３１を設けて改良耐震ラッチを作成した。  取付位置決め部３１は、図１．３の断面図に示した様に端部より約１０ｍｍを他の部分より厚みを０，７ｍｍ薄くして、改良耐耐震ラッチを天板に取り付けた時に天板１と取付位置決め部３１の間に溝３２が得られるようにした。  また、耐震ラッチ３のほぼ中央両端部と取付位置決め部３１の先端から１２ｍｍの両端部に取付ネジ穴を設けた。  この改良耐震ラッチは、天板に段差のある場合は取付位置決め部に新たに設けた取付ネジ穴部で段差（戸当り桟）に固定可能で、天板に段差が有る無しに関係なく、種々の食器家具に特別な取付冶具の必要もなく取り付けることが出来た。
【００１１】
市販の耐震ラッチ（ＰＦＲ−Ｔ２ ムラコシ精工）３の天板取付面に、幅４６ｍｍ 奥行５５ｍｍ 厚さ３ｍｍの鉄板製の耐震ラッチ位置決め部３０を作成した。  この耐震ラッチ取付決め部３０は、耐震ラッチの中央両端部の天板固定ネジ穴と同じ位置にネジ穴を設けて、耐震ラッチ３と位置きめ部３０を皿ネジで固定して改良耐震ラッチを作成した。  なお、該位置決め部３０の扉側先端から１２ｍｍの両端部に直径４ｍｍの取付ネジ穴を設けた。  更に、改良耐震ラッチを図２に示した天板段差（戸当り桟）１１に、両者の間に１ｍｍ程度の隙間が出来るように木ネジで仮止めし、この隙間にラッチ受け位置合わせシート４の一端を挿入して用いたところ、簡単で正確にラッチ受けの取付位置を決めること事が出来た。  従来の耐震ラッチはそのままでは段差（戸当り桟）のある家具には取り付けられなかったが、改良耐震ラッチは特別な取付冶具の必要も無く、図４に示したと同様にラッチ受け位置合わせシート４を扉側に粘着テープで仮止めし、改良耐震ラッチの木ネジを締めて固定した。  また、ラッチ受け５は図５．６と同様の方法で、誤差も無く容易に取り付ける事が出来た。
【００１２】
厚さ０．２８ｍｍの厚紙（アートミラー四六版２２０kg)の片面に、図９と同様に 端部より１０ｍｍに谷折位置を示す点線４４と点線から２２ｍｍの位置に、ラッチ受け取付穴４５を配した５０ｍｍ×７５ｍｍの桝目１００個を印刷した。  更に印刷面の反対側に厚さ０．０３ｍｍのポロプロピレンフイルムを接着剤で貼り合せて合成樹脂層４２を設けた。  次に、桝目に合わせで裁断し、桝目内のラッチ受け取付穴付近の裏面の合成樹脂層４２に両面粘着テープ４３を貼り付けて、ラッチ受け位置合わせシート４を作成した。  この位置合わせシートは、点線の部分で１８０度に谷折したが、折り曲げ反発力によって１２０度まで回復していた。  該シート４は、図１．４．５．に示したと同じ様に使用したところ、正確で容易に扉に仮止めする事が出来た。
【００１３】
取付位置決め部を有する耐震ラッチの位置決め部３１の先端を食器家具の天板１の扉側端部に合わせ、図１で示した様に木ネジで固定した。  次に厚さ０．２４ｍｍのケント紙（四六版１８０kg)４１の片面に、０．０４ｍｍのポリエチレンの合成樹脂層４２を設けたラッチ受け取付位置合わせシート４の一端を位置決め部３１と天板１の間に得られた溝３２の間に挿入した。  尚、該ラッチ受け取付位置合わせシート４は幅４７ｍｍ 長さ７５ｍｍで、ケント紙面の端部より１０ｍｍで谷折されており、この谷折部より２０ｍｍ離れた両端部にラッチ受け固定ネジ穴が印刷されており、ネジ穴印刷部付近の裏面に両面粘着テープ４３が設けられている。  更に、図４に示した様に扉２を閉めて、扉２にラッチ受け位置合わせシート４を粘着仮止めし、図５の様にラッチ受け位置合わせシートの取り付け穴４５に木錐で扉に穴を突き刺して位置を決めて，図６の様にラッチ受け５を扉２の定位置に固定した。  耐震ラッチ３とラッチ受け５の取り付けは、正確かつ適正で、扉の開閉に抵抗感もなく良好であった。
【産業上の利用可能性】
【００１４】
耐震ラッチは、阪神大震災時に食器扉からガラスや陶器が落下する事故が多発したため安全対策として新品の家具に取り付けて販売される事が多くなったと云われている。  新しい家具には耐震ラッチを取り付けた防災家具という新たな付加価値が生まれたが、一般家庭で昔から使われている家具は、耐震ラッチをそのままでは取付けられないものも多く、防災対策から遅れていた。  本発明の改良ラッチ及びラッチ受け位置決めシートを使用することにより、段差（戸当り桟）を大きくするなどの改造も必要が無く、種々のタイプの家具にも専用取付冶具を用いることなく正確で容易に取付可能で、大地震時の家庭内の防災に寄与出来るものである。    
【符号の説明】
【００１５】
１ 扉家具の天板    １１ 天板の段差（戸当り桟）    ２ 家具の扉    ３ 耐震ラッチ（本体）    ３０ 位置決め部（後付）     31 位置決め部    ３２ 位置決め部の溝    ３３ 振動センサー    ３４ ロック部材    ３５ ラッチ    4 ラッチ受け取付位置合わせシート  ４１ 厚紙    ４２ 合成樹脂層    ４３ 両面粘着テープ    ４４ 谷折点線（印刷）    ４５ 取付穴（印刷）    5 ラッチ受け     
【図１】
2013014991.tif 000002
【図２】
2013014991.tif 000003
【図３】
2013014991.tif 000004
【図４】
2013014991.tif 000005
【図５】
2013014991.tif 000006
【図６】
2013014991.tif 000007
【図７】
2013014991.tif 000008
【図８】
2013014991.tif 000009
【図９】
2013014991.tif 000010
【図１０】
2013014991.tif 000011
【手続補正書】
【提出日】平成23年9月30日(2011.9.30)
【手続補正１】
【補正対象書類名】特許請求の範囲
【補正対象項目名】請求項３
【補正方法】変更
【補正の内容】
【請求項３】
厚さ０．２から０．４ｍｍの厚紙４１の片面に、厚さ０．０２から０．０５ｍｍの合成樹脂層４２を設けて、厚紙面に谷折線４４とネジ穴４５が印刷或いは穿孔され、合成樹脂面層に両面粘着テープが設けられているラッチ受け位置決めシート
【手続補正書】
【提出日】平成24年1月20日(2012.1.20)
【手続補正１】
【補正対象書類名】明細書
【補正対象項目名】全文
【補正方法】変更
【補正の内容】
【発明の詳細な説明】
【技術分野】
【０００１】
近年、大地震時に食器家具の扉が開いて収納されているガラスコップや陶器等が落下・破損する事故を防ぐため、耐震ラッチが取り付けられてるようになってきた。  一般家庭でも使用中の家具に、取り付けられる事が多くなってきたが、耐震ラッチは家具製作所等で専門家が新品の家具に取付ており、素人には難しい面が多々あった。  この理由は、専用取付冶具を使用したり、家具天板と扉の関係が異なる構造のものが多数有り、そのままで取り付けられない家具も多く、素人には難しいものとされている。  本発明は、一般家庭の様々な種類の木製家具に対して、素人が容易に取り付けられる様に改良したものである。
【背景技術】
【０００２】
家具製作所等で職人が使う為の耐震ラッチと専用取付冶具が多数商品化されている。家庭用の商品もそのまま小包したものが多く、取扱説明書に印刷された取付方法図を切り取って使用するか専用取付冶具を購入して使用する方法等が取られて来た。  しかし、素人には難しい方法であり、使用中の家具の為に専用冶具を購入する事は不経済でもあった。また、民藝調の木工家具など扉が家具天板の下（内側）に付けられている天板に段差（戸当り桟）のあるものの多くは、そのまま取り付けられないと云う欠点があった。
【先行技術文献】
【特許文献】
【０００３】
【特許文献１】特開２００７−２２４５４４  ロック装置の取付冶具およびロック装置ユニット  株式会社ムラコシ精工
【特許文献２】特開平１１−２２５８３６  地震時ロック装置の取付ゲージと同装置の取り付方法並びに同装置を有する家具の製造方法    株式会社奥田製作所
【非特許文献】
【０００４】
【非特許文献１】耐震ラッチの取付専用冶具は、  １）大石製作所（ＫＳＬ−２用冶具、ＫＬＳ−３専用冶具）  ２）川喜金物（ＨＤＤ１専用取付冶具）  ３）イマオコーポレーシォン（震護くん２取付冶具）  4)HAFELE(地震対策ラッチＨ型取付ジグ）  5)カワノ（ＯＳＫ耐震ラッチ用冶具）  6)ムラコシ（耐震ラッチＴ２用取付冶具）など、多くの耐震ラッチ商品にプラスチックで成型された専用冶具が販売されている。
【発明の概要】
【発明が解決しようとする課題】
【０００５】
現在、家庭で使用されている家具は、時代の変化や民族調など好みや経済状況等により種々の形式の家具が使用されている。  扉付き食器家具の天板の構造は、扉を天板の下に収めるタイプ（段差・戸当り桟）  ２．天板の側面に扉を合わせるタイプ  ３．天板が中空構造で磁石などの扉留具も側柱に付けているものなど種々のタイプがある。  これら使用中の家具に耐震ラッチを取り付けるのは、素人が取付可能かどうかの判断が難しく、１回の取付の為に専用の取付冶具を購入するのは不経済であった。  また、家具天板に段差（戸当り桟）のあるものはそのままで取付出来ない場合が多いなどの問題があった。  本発明は、種々の家具に耐震ラッチを容易に取り付けて、大地震時の防災・安全を更に高める。
【課題を解決するための手段】
【０００６】
耐震ラッチの一般的な形状は４０から５０ｍｍ前後の小さなもので、ラッチ（留め金部）が、扉に付けられたラッチ受けにロックさせる為に扉側に少し飛び出している。  耐震ラッチは、ラッチ受けとラッチの関係で天板や段差（戸当り桟）より若干奥に木ネジで取り付けられる。また、専用の取付冶具を使用せずに一般人が耐震ラッチ本体を正確に取り付けることは難しいので、耐震ラッチ本体天板面を取付位置端部（戸当り）まで伸ばせば、比較的細幅の段差（戸当り桟）や中空の天板構造のものでも取付可能となるが、ラッチ受けの取付位置を従来の方法で決めることは出来なかった。  そこで、戸当り桟或いは天板扉側端部まで伸ばした耐震ラッチ位置決め部と天板との溝にラッチ受け位置合わせシートを挿入して、家具扉の押圧と該シートの折り曲げ反発力と粘着テープの利用によって、確実かつ容易に耐震ラッチ受けを取付ける事が可能となった。
【発明の効果】
【０００７】
本発明の改良耐震ラッチは、専用の取付冶具を用いることなく、家具天板又は戸当り桟の端部に合わせて、簡単に取り付けが可能となる。  また、耐震ラッチ本体に取付位置決め部分を約１５ｍｍ伸ばす為、天板取付部が従来の取付位置に加えて先端部近くで取り付けられるので、天板に段差のあるものなど殆どの家具に取り付けが可能となる。  また、天板に段差（戸当り桟）が無くとも天板が中空のものは、天板に接する耐震ラッチの面積が３０から４０％増加するので、耐震ラッチを接着剤等で天板に貼り付けて充分な強度を得る事が可能となる。  また、本発明の耐震ラッチ受け取付位置決めシートを使用すると専用の取付冶具や特別な技術も不要で、扉に耐震ラッチ受けを簡単で確実に取り付けることが可能となった。
【図面の簡単な説明】
【０００８】
【図１】第1図は、取付位置決め部３１を設けた耐震ラッチ本体を家具天板１に取り付けて、取付位置決め部と天板との間の溝にラッチ受け位置合わせシート４の一端を挿入した断面図
【図２】天板扉まで伸ばした金属プレートを固定した取付位置決め部３０を設けた耐震ラッチを、天板段差（戸当り桟）１１の端部に合わせて木ネジで仮止めし、該金属プレートと天板の間の隙間を設けて、この隙間にラッチ受け位置合わせシート４を挿入する前の断面図
【図３】取付位置決め部の天板取付面の扉側端部から約１０ｍｍを他の部分より厚さ約５ｍｍ薄くして位置決め部の溝３２を設けた取付位置決め部３１を有する耐震ラッチ３を天板１に取り付けた断面図
【図４】耐震ラッチ３の取付位置決め部３１と天板１との間に形成された位置決め部の溝に、ラッチ受け位置合わせシート４の一端を挿入して、扉２を閉じた状態を示す断面図
【図５】粘着テープ部４３で扉２に仮止めされたラッチ受け位置合わせシート４の取付位置４４の上から扉２の内部まで木錐で突き刺して取付位置を決めている断面図
【図６】耐震ラッチ３が天板１に取付けられ、ロック部材ラッチ３５とラッチ受け５の関係を示す断面図
【図７】耐震ラッチが通常の扉開閉時の透視断面図で、感知センサー３３は水平を保ち保持具３４はフリーで、ラッチ３５はラッチ受け５に自由に開閉可能な状況を示す
【図８】一定以上の震度で、耐震ラッチの円錐形の振動センサー３３が傾斜して、ラッチ保持具３４がラッチ３５をラッチ受け５に固定している状態の概略透視断面図
【図９】厚紙面に谷折線４５とラッチ受け取付穴４４を配したラッチ受け位置合わせシート４の平面図
【図１０】厚紙４１の片面に合成樹脂層４２を設けて、更に合成樹脂面に両面粘着テープ４３を貼りつけたラッチ受け位置合わせシートの断面図
【発明を実施するための形態】
【０００９】
耐震ラッチが平常時はフリーで大地震時にロックされ落下事故を防ぐ為に、耐震ラッチと
ラッチ受けが正確に取り付けられる必要がある。  段差のある扉家具など取り付けられない家具も多く、家庭で素人が耐震ラッチを正確に取り付けることも難しかった。  これら問題点を解決する為に、耐震ラッチ本体に取付位置決め部を設けて、従来は取付困難であった殆どの家具に対しても専用冶具を用いることなく、確実かつ容易に  取り付けられる様になった。  この取付位置決め部は、耐震ラッチ本体の天板取付面に、ラッチ本体の位置から天板又は段差（戸当り桟）の扉側端部まで、金属又は合成樹脂プレートを貼り設けて（後付）も良いが、耐震ラッチの天板取付面を扉側に適切な寸法に伸ばした取付位置決め部を耐震ラッチ本体のプラスチックと一体成型し、複数箇所に取付穴を設けると、様々なタイプの家具に取付可能となり汎用性が高まる。  耐震ラッチの天板に直接取付られるタイプの家具は中央部穴で固定、天板に段差（戸当り桟）のあるタイプの場合は扉側の端部穴で固定するなど様々なタイプの扉家具に対応可能となる。  また、取付位置決め部を有する耐震ラッチに用いられるラッチ受け位置決めシートは天板とラッチ取付位置決め部との間に溝を設けて挿入し、家具扉の押圧と該位置決めシートの折り曲げ反発力によって扉にラッチ取付位置合わせシートを粘着テープで仮止めする。  このラッチ位置決めシートは、０．２から０．４ｍｍの厚紙が用いられ、片面に０．０２から０．０５ｍｍの合成樹脂層を設けたものは特に良い結果が得られる。  ２ｍｍ以下の用紙は粘着テープを扉に押し付ける折り曲げ反発力が不充分で、厚紙や合成樹脂層が厚過ぎると折り曲げ時のカーブが大きく取付精度が悪くなる。  また、厚紙は、ケント紙やアート紙や合成紙など折り曲げ反発力の高いものが良い。  厚紙に適度な厚みのポリプロピレンやポリエチレンフイルムを貼合すると、１８０度に折り曲げても短時間で１００〜１３０度に反発回復し、扉を閉めると扉に適度な力が働いて確実に仮止めすることが出来る。  厚紙の片面に設けられる合成樹脂層の貼合方法は、接着剤で貼り合わせたり、ホットメルト、樹脂コーティングなど一般的など方法で特に限定しない。
【実施例】
【００１０】
幅４６ｍｍで天板取付面の奥行４０ｍｍの耐震ラッチ３の天板側のポリアセタール樹脂を、扉側に１５ｍｍ伸ばして幅４６ｍｍで厚さ３ｍｍの取付位置決め部３１を設けて改良耐震ラッチを作成した。  取付位置決め部３１は、図１．３の断面図に示した様に端部より約１０ｍｍを他の部分より厚みを０，７ｍｍ薄くして、改良耐耐震ラッチを天板に取り付けた時に天板１と取付位置決め部３１の間に溝３２が得られるようにした。  また、耐震ラッチ３のほぼ中央両端部と取付位置決め部３１の先端から１２ｍｍの両端部に取付ネジ穴を設けた。  この改良耐震ラッチは、天板に段差のある場合は取付位置決め部に新たに設けた取付ネジ穴部で段差（戸当り桟）に固定可能で、天板に段差が有る無しに関係なく、種々の食器家具に特別な取付冶具の必要もなく取り付けることが出来た。
【００１１】
市販の耐震ラッチ（ＰＦＲ−Ｔ２ ムラコシ精工）３の天板取付面に、幅４６ｍｍ  奥行５５ｍｍ厚さ３ｍｍの鉄板製の耐震ラッチ位置決め部３０を作成した。  この耐震ラッチ取付決め部３０は、耐震ラッチの中央両端部の天板固定ネジ穴と同じ位置にネジ穴を設けて、耐震ラッチと位置きめ部３０を皿ネジで固定して改良耐震ラッチを作成した。  なお、該位置決め部３０の扉側先端から１２ｍｍの両端部に直径４ｍｍの取付穴を設けた。  更に、改良耐震ラッチを図２に示した天板段差（戸当り桟）１１に、両者の間に１ｍｍ程度の隙間が出来るように木ネジで仮止めし、この隙間にラッチ受け位置合わせシート４の一端を挿入して用いたところ、簡単で正確にラッチ受けの取付位置を決めること事が出来た。  従来の耐震ラッチはそのままでは段差（戸当り桟）のある家具には取り付けられなかったが、改良耐震ラッチは特別な取付冶具の必要も無く、図４に示したと同様にラッチ受け位置合わせシート４を扉２に粘着テープで仮止めし、改良耐震ラッチの木ネジを締めて固定した。  また、ラッチ受け５は図５．６と同様の方法で、誤差も無く容易に取り付ける事が出来た。
【００１２】
厚さ０．２８ｍｍの厚紙（アートミラー四六版２２０kg)の片面に、図９と同様に 端部より１０ｍｍに谷折線４５と点線から２２ｍｍの位置に、ラッチ受け取付穴４４を配した５０ｍｍ×７５ｍｍの桝目１００個を印刷した。  更に印刷面の反対側に厚さ０．０３ｍｍのポロプロピレンフイルムを接着剤で貼り合せて合成樹脂層４２を設けた。  次に桝目に合わせで裁断し、桝目内のラッチ受け取付穴４４付近の裏面の合成樹脂層４２に両面粘着テープ４３を貼り付けて、ラッチ受け取付位置合わせシート４を作成した。  このラッチ受け取付位置合せシート４は、谷折線４５の部分で１８０度に谷折したが、折り曲げ反発力によって１２０度まで回復した。  該ラッチ受け取付位置合わせシート４は、図１．４．５．に示したと同じ様に使用したところ、正確で容易に扉２に仮止めする事が出来た。
【００１３】
取付位置決め部を有する耐震ラッチ３の位置決め部３１の先端を食器家具の天板１の扉側端部に合わせ、図１で示した様に木ネジで固定した。  次に厚さ０．２４ｍｍのケント紙（四六版１８０kg)４１の片面に、０．０４ｍｍのポリエチレンの合成樹脂層４２を設けたラッチ受け取付位置合わせシート４の一端を位置決め部３１と天板１の間に得られた溝３２の間に挿入した。  尚、該ラッチ受け取付位置合わせシート４は幅４７ｍｍ長さ７５ｍｍで、ケント紙面の端部より１０ｍｍで谷折されており、この谷折部より２０ｍｍ離れた両端部にラッチ受け取付穴４４が配されており、該取付穴４４付近の裏面に両面粘着テープ４３が設けられている。  更に、図４に示した様に扉２を閉めて、扉２にラッチ受け位置合わせシート４を食器家具の扉２に仮止めし、図５の様にラッチ受け位置合わせシートの取付穴４４に木錐で扉に穴を突き刺して位置を決めて，図６の様にラッチ受け５を扉２の定位置に木ネジで固定した。  耐震ラッチ３とラッチ受け５の取り付けは、正確かつ適正で、扉の開閉に抵抗感もなく良好であった。
【産業上の利用可能性】
【００１４】
耐震ラッチは、阪神大震災時に食器扉からガラスや陶器が落下する事故が多発したため安全対策として新品の家具に取り付けて販売される事が多くなったと云われている。  新しい家具には耐震ラッチを取り付けた防災家具という新たな付加価値が生まれたが、一般家庭で昔から使われている家具は、耐震ラッチをそのままでは取付けられないものも多く、防災対策から遅れていた。  本発明の改良ラッチ及びラッチ受け位置決めシートを使用することにより、段差（戸当り桟）を大きくするなどの改造も必要が無く、種々のタイプの家具にも専用取付冶具を用いることなく正確で容易に取付可能で、大地震時の家庭内の防災に寄与出来るものである。
【符号の説明】
【００１５】
１  扉家具の天板    １１  天板の段差（戸当り桟）    ２  家具の扉    ３  耐震ラッチ    ５  ラッチ受け    ３０  位置決め部（後付）    ３１  位置決め部    ３２  位置決め部の溝    ３３  振動センサー    ３４  ロック部材    ３５  ラッチ    4  ラッチ受け位置合わせシート    ４１  厚紙    ４２  合成樹脂層    ４３  両面粘着テープ    ４４  取付穴 ４５  谷折線
【手続補正２】
【補正対象書類名】特許請求の範囲
【補正対象項目名】全文
【補正方法】変更
【補正の内容】
【特許請求の範囲】
【請求項１】
特許請求項１の内容
耐震ラッチ本体に、戸当り桟或いは天板扉側端部まで伸ばした取りつけ位置決め部３１を設け、該取付け位置決め部３１の天板取付面に戸当り桟或いは扉側端部から約１０ｍｍを他の部分より厚さ０．４ｍｍから１．０ｍｍ薄くして位置決め部の溝３２を設けた耐震ラッチ３と、厚さ０．２ｍｍから０．４ｍｍの厚紙４１の片面に、厚さ０．０２ｍｍから０．０５ｍｍの合成樹脂層４２を設け、更に合成樹脂層４２の面に両面粘着テープ４３が設けられ、厚紙面に谷折線４５とラッチ受け取付穴４４を配したラッチ受け位置合わせシート４を備え、該ラッチ受け位置合わせシート４を、天板とラッチ取付け位置決め部３１との間の溝３２に挿入し、扉２の押圧とラッチ受け位置合わせシート４の折り曲げ反発力によって、扉２に耐震ラッチ受け位置合わせシート４が粘着テープ４３で仮止めされ、扉２に耐震ラッチ受け５を簡単で確実に取り付けが可能となる、耐震ラッチ３及びラッチ受け位置あわせシート４。
【請求項２】
特許請求項２の内容
請求項１記載の耐震ラッチ３及びラッチ受け位置合わせシート４において、耐震ラッチ３の該取付け位置決め部３１の端部を家具の天板１又は段差（戸当り桟）１１の扉側端部に合せて固定し、該取付け位置決め部３１の天板取付け面に設けられた溝３２に、ラッチ受け位置合わせシート４の一端を挿入し、扉２の押圧とラッチ受け位置合わせシート４の折り曲げ反発力と粘着テープ４３を利用して、該ラッチ受け位置合わせシート４を家具扉２に仮止めし、該ラッチ受け位置決めシート４に配したラッチ受け取付穴４４に木錐で扉２に突き刺してラッチ受け取り付け位置を決める、耐震ラッチ３及びラッチ受け５の取付け方法。